(57)【要約】【課題】被写体による放射線の吸収線量を、放射線の一度の照射で効率的且つ高精度に計測することのできる放射線画像撮影装置を提供する。【解決手段】Ｘ線管６２から射出された放射線を第１検出部６０ａ、６０ｂにより検出し、照射線量演算部６６でマンモ４４に照射される照射線量を演算するとともに、マンモ４４を透過した放射線を第２検出部４７により検出し、吸収線量演算部７２において、照射線量と、第２検出部４７によって検出された透過線量とを用いてマンモ４４による吸収線量を演算し、表示部３９で表示する。【選択図】図４
2007259932.tif 000002
【特許請求の範囲】
【請求項１】
放射線源から放射線を射出して被写体に照射し、前記被写体を透過した前記放射線に基づいて放射線画像を撮影する放射線画像撮影装置において、
前記放射線源と前記被写体との間であって、前記被写体に照射される前記放射線の照射域外の所定位置に配設され、前記放射線源から射出された前記放射線を検出する第１検出手段と、
前記被写体を透過した前記放射線を検出する第２検出手段と、
前記第１検出手段により検出された前記放射線の線量を用いて、前記被写体に照射される前記放射線の照射線量を演算する照射線量演算手段と、
前記第２検出手段により検出された前記放射線の線量と、前記照射線量演算手段により演算された前記照射線量とを用いて、前記被写体が吸収した前記放射線の吸収線量を演算する吸収線量演算手段と、
を備えることを特徴とする放射線画像撮影装置。
【請求項２】
請求項１記載の装置において、
前記照射線量演算手段は、前記第１検出手段により検出された前記放射線の線量と、前記放射線源に対する前記第１検出手段の配置に係るパラメータと、前記放射線源と前記被写体との間に介在する媒体に係るパラメータとに基づいて前記照射線量を演算することを特徴とする放射線画像撮影装置。
【請求項３】
請求項１記載の装置において、
前記第１検出手段は、前記放射線が入射する入射面を除く周囲が放射線遮蔽部材によって囲繞されることを特徴とする放射線画像撮影装置。
【請求項４】
請求項３記載の装置において、
前記放射線遮蔽部材は、接地され、又は、正電荷に帯電して構成されることを特徴とする放射線画像撮影装置。
【請求項５】
請求項１記載の装置において、
前記第１検出手段は、前記放射線が入射する入射面に放射線減衰部材が配設されることを特徴とする放射線画像撮影装置。
【請求項６】
請求項１記載の装置において、
当該放射線画像撮影装置は、マンモグラフィ装置であることを特徴とする放射線画像撮影装置。
【請求項７】
請求項６記載の装置において、
前記放射線源と前記被写体との間には、前記被写体を前記第２検出手段に指向して押圧する押圧板が配設され、前記照射線量演算手段は、前記放射線源と前記押圧板との間に介在する空気層に係るパラメータと、前記押圧板に係るパラメータとを用いて前記照射線量を演算することを特徴とする放射線画像撮影装置。
【請求項８】
放射線源から放射線を射出して被写体に照射し、前記被写体を透過した前記放射線に基づいて放射線画像を撮影する放射線画像撮影方法において、
前記放射線源と前記被写体との間であって、前記被写体に照射される前記放射線の照射域外の所定位置に配設される第１検出手段により、前記放射線源から射出された前記放射線を検出するステップと、
前記第１検出手段により前記放射線を検出すると同時に、第２検出手段により前記被写体を透過した前記放射線を検出するステップと、
前記第１検出手段により検出された前記放射線の線量を用いて、前記被写体に照射される前記放射線の照射線量を演算するステップと、
前記第２検出手段により検出された前記放射線の線量と、前記照射線量とを用いて、前記被写体が吸収した前記放射線の吸収線量を演算するステップと、
を含むことを特徴とする放射線画像撮影方法。
【請求項９】
請求項８記載の方法において、
前記第２検出手段により前記被写体を透過した前記放射線を検出すると同時に、前記被写体の放射線透過画像を取得することを特徴とする放射線画像撮影方法。
【発明の詳細な説明】
【技術分野】
【０００１】
本発明は、放射線源から放射線を射出して被写体に照射し、前記被写体を透過した前記放射線に基づいて放射線画像を撮影する放射線画像撮影装置及び撮影方法に関する。
【背景技術】
【０００２】
例えば、医療分野において、被写体に放射線を照射し、その透過放射線をセンサによって検出し、あるいは、直接Ｘ線フイルム等に導くことにより、前記被写体の放射線画像を形成して診断に供することが行われる。この場合、一定期間内に規定以上の放射線が被写体に照射されることを回避するため、放射線画像撮影装置では、被写体の被曝量である吸収線量を計測して管理する必要がある。
【０００３】
吸収線量を計測する方法として、特許文献１に開示された従来技術では、放射線画像撮影装置に被写体を配置しない状態でセンサに直接放射線を照射してその照射線量を検出し、次いで、被写体を配置した状態で放射線を照射して、被写体を透過した放射線を前記センサで検出し、これらの検出値の差に基づき、被写体による放射線の吸収線量を算出して表示するようにしている。
【０００４】
【特許文献１】特開平８−６６３８８号公報
【発明の開示】
【発明が解決しようとする課題】
【０００５】
ところで、前記のようにして放射線の吸収線量を計測するためには、被写体を配置しないときと、配置したときとで放射線を２度照射しなければならない。この場合、放射線源に対して設定される管電圧、ターゲット、フィルタ、管電流時間積等の撮影条件が変更されると、照射される放射線の線量が変動する。このような変動の影響を回避するには、撮影条件が変更されるたびに放射線を２度ずつ照射するようにすればよいが、その場合、放射線技師に対する負担が増加するとともに、撮影のための作業効率が低下してしまう。
【０００６】
また、特に、マンモ画像を撮影するマンモグラフィ装置においては、押圧板と撮影台との間にマンモを挟持させた状態で撮影を行うため、マンモの厚さによって放射線源と押圧板との距離が変動する。この場合、放射線源と押圧板との間の空気層の幅によって被写体に到達する放射線の線量が異なるため、放射線源に対する押圧板の位置を考慮して吸収線量を算出する必要がある。
【０００７】
しかしながら、特許文献１に開示された従来技術では、被写体のない状態で放射線の線量を検出しているため、被写体に照射される放射線の正確な線量を算出することができない。
【０００８】
本発明は、前記の課題を解決するためになされたものであり、被写体による放射線の吸収線量を、放射線の一度の照射で効率的且つ高精度に計測することのできる放射線画像撮影装置を提供することを目的とする。
【課題を解決するための手段】
【０００９】
本発明は、放射線源から放射線を射出して被写体に照射し、前記被写体を透過した前記放射線に基づいて放射線画像を撮影する放射線画像撮影装置において、
前記放射線源と前記被写体との間であって、前記被写体に照射される前記放射線の照射域外の所定位置に配設され、前記放射線源から射出された前記放射線を検出する第１検出手段と、
前記被写体を透過した前記放射線を検出する第２検出手段と、
前記第１検出手段により検出された前記放射線の線量を用いて、前記被写体に照射される前記放射線の照射線量を演算する照射線量演算手段と、
前記第２検出手段により検出された前記放射線の線量と、前記照射線量演算手段により演算された前記照射線量とを用いて、前記被写体が吸収した前記放射線の吸収線量を演算する吸収線量演算手段と、
を備えることを特徴とする。
【００１０】
また、本発明は、放射線源から放射線を射出して被写体に照射し、前記被写体を透過した前記放射線に基づいて放射線画像を撮影する放射線画像撮影方法において、
前記放射線源と前記被写体との間であって、前記被写体に照射される前記放射線の照射域外の所定位置に配設される第１検出手段により、前記放射線源から射出された前記放射線を検出するステップと、
前記第１検出手段により前記放射線を検出すると同時に、第２検出手段により前記被写体を透過した前記放射線を検出するステップと、
前記第１検出手段により検出された前記放射線の線量を用いて、前記被写体に照射される前記放射線の照射線量を演算するステップと、
前記第２検出手段により検出された前記放射線の線量と、前記照射線量とを用いて、前記被写体が吸収した前記放射線の吸収線量を演算するステップと、
を含むことを特徴とする。
【発明の効果】
【００１１】
本発明の放射線画像撮影装置及び撮影方法では、被写体に照射される放射線の照射線量と、被写体を透過した放射線の線量とを個別に計測し、これらの計測値から、被写体による放射線の吸収線量を放射線の一度の照射で効率的且つ高精度に計測することができる。また、放射線の一度の照射で吸収線量を計測できるため、作業者に対する負担が軽減されるとともに、作業効率が向上する。
【発明を実施するための最良の形態】
【００１２】
図１は、本発明の放射線画像撮影装置及び撮影方法が適用されるマンモグラフィ装置１２の構成図である。
【００１３】
マンモグラフィ装置１２は、立設状態に設置される基台２６と、基台２６の略中央部に配設される旋回軸２８に固定されるアーム部材３０と、被写体３２に対して放射線を照射する放射線源を収納し、アーム部材３０の一端部に固定される放射線源収納部３４と、被写体３２を透過した放射線を検出して放射線画像情報を取得する固体検出器を収納し、アーム部材３０の他端部に固定される撮影台３６と、撮影台３６に対して被写体３２のマンモを押圧して保持する押圧板３８とを備える。
【００１４】
放射線源収納部３４及び撮影台３６が固定されたアーム部材３０は、旋回軸２８を中心として矢印Ａ方向に旋回することで、被写体３２のマンモに対する撮影方向が調整可能に構成される。押圧板３８は、アーム部材３０に連結された状態で放射線源収納部３４及び撮影台３６間に配設されており、矢印Ｂ方向に変位可能に構成される。
【００１５】
また、基台２６には、マンモグラフィ装置１２によって検出された被写体３２の撮影方向等の撮影情報、被写体３２のＩＤ情報、管電圧、管電流、ターゲットの種類、フィルタの種類等の撮影条件、後述するようにして演算された被写体３２による放射線の吸収線量等を表示する表示部３９、及び、前記各情報や条件を設定可能な操作パネル４０が配設される。なお、表示部３９及び操作パネル４０をマンモグラフィ装置１２に装備させる代わりに、図示しないコンソールをマンモグラフィ装置１２に接続し、このコンソールを用いて各情報等を設定するように構成することもできる。
【００１６】
図２は、放射線源収納部３４の内部構成図である。
【００１７】
放射線源収納部３４は、ハウジング５２内に収納されるモリブデンやタングステン等からなる放射線源であるターゲット５４と、ターゲット５４に向けて電子線Ｅを放出する陰極５６とを備える。また、ハウジング５２は、陰極５６から放出された電子線Ｅがターゲット５４に衝突することで生成される放射線Ｘ２を、所定の照射野で被写体３２の撮影部であるマンモ４４に照射する開口部を備える。開口部には、放射線Ｘ２を減衰させて被写体３２に導くためのフィルタ５８が配設される。
【００１８】
ハウジング５２の内部であって、フィルタ５８が装着された開口部周縁部の所定部位には、ターゲット５４から射出された放射線Ｘ２よりも広い照射野からなる放射線Ｘ１を検出する第１検出部６０ａ、６０ｂ（第１検出手段）が配設される。なお、ハウジング５２は、放射線を外部に漏出しない重金属を材料として形成される。
【００１９】
図３は、マンモグラフィ装置１２における撮影台３６の内部構成図であり、撮影台３６及び押圧板３８間に被写体３２の撮影部位であるマンモ４４を設定した状態を示す。
【００２０】
撮影台３６の内部には、放射線源収納部３４に内蔵されたターゲット５４からフィルタ５８を介して射出された放射線Ｘ２に基づくマンモ４４の放射線画像情報を蓄積し、電気信号として出力する画像検出器４６と、マンモ４４と画像検出器４６との間に配設され、マンモ４４等による散乱放射線を除去するためのブッキ４５と、画像検出器４６を透過した放射線Ｘ２を検出する第２検出部４７（第２検出手段）と、画像検出器４６に蓄積記録された放射線画像情報を読み取るために、画像検出器４６に読取光を照射する読取光源４８と、画像検出器４６に蓄積されている不要電荷を除去するために、画像検出器４６に消去光を照射する消去光源５０とを備える。
【００２１】
画像検出器４６は、直接変換方式且つ光読出方式の放射線固体検出器であって、マンモ４４を透過した放射線Ｘ２からなる放射線画像情報を静電潜像として蓄積し、読取光源４８からの読取光により走査されることで、静電潜像に応じた電流を発生する。
【００２２】
画像検出器４６は、より具体的には、ガラス基板上に形成され、放射線Ｘ２を透過する第１導電層と、放射線Ｘ２が照射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘ２を透過する第２導電層とを順に積層して構成される。記録用光導電層と電荷輸送層との界面には、蓄電部が形成される。
【００２３】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向、線状電極の延在する方向が副走査方向に対応する。
【００２４】
読取光源４８は、例えば、複数のＬＥＤチップを一列に並べて構成されるライン光源と、ライン光源から出力された読取光を画像検出器４６上に線状に照射させる光学系とを有し、画像検出器４６の第２導電層である線状電極の延在方向と直交する方向にＬＥＤチップが配列されたライン光源を前記線状電極の延在方向に移動させることで画像検出器４６の全面を露光走査する。
【００２５】
消去光源５０は、短時間で発光／消光し、且つ、残光の非常に小さい光源が好適であり、例えば、読取光源４８を構成するＬＥＤチップの配列方向に延在し、且つ、前記配列方向と直交する方向に配列される複数の外部電極型希ガス蛍光ランプを使用することができる。
【００２６】
図４は、マンモグラフィ装置１２を構成する制御回路のブロック図である。
【００２７】
マンモグラフィ装置１２は、放射線源収納部３４に内臓される陰極５６及びターゲット５４からなるＸ線管６２と、陰極５６及びターゲット５４間に印加される管電圧を発生する管電圧発生部６４と、第１検出部６０ａ、６０ｂによって検出された放射線Ｘ１の線量を用いて、マンモ４４に照射される放射線Ｘ２の照射線量を演算する照射線量演算部６６（照射線量演算手段）と、押圧板３８の位置から被写体３２の厚さを測定する被写体厚さ測定器４９と、撮影台３６に内臓される第２検出部４７によって検出された放射線Ｘ２の線量を時間積分して曝射量を算出し、管電圧発生部６４にフィードバックすることで、放射線Ｘ２の露出制御を行う露出制御部７０と、照射線量演算部６６で演算した照射線量と第２検出部４７により検出した放射線Ｘ２の線量とを用いて、マンモ４４による放射線Ｘ２の吸収線量を演算する吸収線量演算部７２（吸収線量演算手段）と、吸収線量を演算するための各種パラメータを記憶するパラメータ記憶部７４とを備える。
【００２８】
なお、照射線量演算部６６は、操作パネル４０によって設定されたフィルタ５８の種類、被写体厚さ測定器４９によって測定された被写体３２の厚さデータ、パラメータ記憶部７４から読み出したヒール効果係数（後述）、フィルタ５８、空気層、押圧板３８の線吸収係数を用いて、マンモ４４に照射される放射線Ｘ２の照射線量を演算する。また、吸収線量演算部７２により演算された吸収線量は、表示部３９に表示される。
【００２９】
本実施形態のマンモグラフィ装置１２は、基本的には以上のように構成されるものであり、次にその動作について説明する。
【００３０】
先ず、マンモグラフィ装置１２に付設された操作パネル４０、図示しないコンソール、ＩＤカード等を用いて、被写体３２に係るＩＤ情報、撮影方法、撮影条件等の設定を行う。この場合、ＩＤ情報としては、被写体３２の氏名、年齢、性別等の情報があり、マンモグラフィ装置１２に接続された上位の装置、あるいは、被写体３２が所持するＩＤカードから取得することが可能である。また、撮影方法としては、被写体３２の撮影部位、撮影方向等の情報がある。さらに、撮影条件としては、被写体３２の撮影部位等に応じた放射線Ｘ２の照射線量を決定する管電圧、管電流、照射時間、Ｘ線管６２に使用するターゲット５４の種類、フィルタ５８の種類、ターゲット５４から撮影台３６までの距離等がある。以下の説明では、これらの情報を操作パネル４０を用いて設定し、且つ、表示部３９に表示して確認できるものとして説明する。
【００３１】
技師は、指定された撮影方法に従ってマンモグラフィ装置１２を所定の状態に設定する。例えば、マンモ４４の撮影方法としては、上部から放射線Ｘを照射して撮影を行う頭尾方向（ＣＣ）撮影、側面から放射線Ｘを照射して撮影を行う側面方向（ＭＬ）撮影、斜め方向から放射線Ｘを照射して撮影を行う内外側斜位（ＭＬＯ）撮影があり、これらの撮影方法に応じてアーム部材３０を旋回軸２８を中心に旋回させる。
【００３２】
次に、マンモグラフィ装置１２に対して被写体３２を指定された撮影状態に設定する。例えば、被写体３２の左のマンモ４４に対する頭尾方向（ＣＣ）撮影を行う場合、図３に示すように、左のマンモ４４を撮影台３６に載置した後、押圧板３８を押し下げ、撮影台３６及び押圧板３８間にマンモ４４を保持させる。
【００３３】
被写体３２の撮影部位が撮影台３６の所定位置に設定された後、操作パネル４０によって設定された管電圧に従って管電圧発生部６４を駆動し、放射線源収納部３４に収納されているＸ線管６２より放射線を射出して放射線画像の撮影を行う。
【００３４】
すなわち、Ｘ線管６２を構成する陰極５６及びターゲット５４間に所定の管電圧が印加され、陰極５６から放出された電子線Ｅがターゲット５４に衝突すると、ターゲット５４から放射線が射出される。ターゲット５４から射出された放射線の中、ハウジング５２の開口部に装着されたフィルタ５８を通過した放射線Ｘ２は、押圧板３８を介してマンモ４４に照射される。次いで、マンモ４４を透過した放射線Ｘ２は、撮影台３６に収納されている画像検出器４６にブッキ４５を介して照射される。なお、画像検出器４６は、撮影に先立ち、消去光源５０からの消去光が全面に照射されて不要電荷が除去された状態となっている。
【００３５】
そこで、第１導電層及び第２導電層間に高電圧を印加した状態において、放射線画像情報を担持した放射線Ｘ２が画像検出器４６に照射されると、画像検出器４６の記録用光導電層内で正負の電荷対が発生し、その負電荷が記録用光導電層と電荷輸送層との界面に形成された蓄電部に蓄積される。この蓄積された負電荷、すなわち、潜像極性電荷の量は、マンモ４４を透過した放射線Ｘ２の線量に略比例している。なお、記録用光導電層で発生した正電荷は、第１導電層に引き寄せられ、印加されている高電圧の負電荷と結合して消滅する。
【００３６】
一方、マンモ４４に照射された放射線Ｘ２は、画像検出器４６を透過して第２検出部４７に入射する。第２検出部４７は、放射線Ｘ２を検出し、その線量を露出制御部７０に供給する。露出制御部７０は、供給された線量を時間積分して曝射量を算出し、管電圧発生部６４にフィードバックする。管電圧発生部６４は、供給された曝射量を、撮影条件に基づいて予め設定されている設定曝射量と比較し、これらが一致した時点で放射線Ｘ２の出力を中断する信号をＸ線管６２に出力する。この結果、マンモ４４に所定量の放射線Ｘ２が照射されて撮影が終了する。
【００３７】
放射線画像の撮影が終了した後、読取光源４８が画像検出器４６に沿って矢印方向（図４参照）に移動して読取光が照射されると、読取用光導電層に正負の電荷対が発生し、その正電荷が蓄電部に蓄積されている負電荷（潜像極性電荷）に引きつけられるようにして電荷輸送層内を移動し、蓄電部の負電荷と結合して消滅する。一方、読取用光導電層で発生した負電荷は、第２導電層に供給される正電荷と結合して消滅する。このようにして、画像検出器４６に蓄積されている負電荷が電荷結合によって消滅し、この電荷結合の際の電荷の移動による電流が画像検出器４６内に発生する。この電流値に基づき、マンモ４４の放射線画像が形成される。
【００３８】
なお、放射線画像情報が読み取られた画像検出器４６には、次の撮影を行うため、消去光源５０から発せられた消去光が照射され、蓄積されている不要電荷が除去される。
【００３９】
次に、第１検出部６０ａ、６０ｂ及び第２検出部４７を用いて、被写体３２のマンモ４４が吸収する放射線Ｘ２の線量を算出する方法について説明する。
【００４０】
マンモグラフィ装置１２には、被写体３２に照射される放射線Ｘ２の照射野を規制する開口部周縁部に第１検出部６０ａ、６０ｂが配設されており、開口部のフィルタ５８を通過した放射線Ｘ２により被写体３２の放射線画像を撮影すると同時に、放射線Ｘ２の照射野よりも広い照射野でターゲット５４から射出される放射線Ｘ１が第１検出部６０ａ、６０ｂによって検出される。
【００４１】
第１検出部６０ａ、６０ｂによって検出された放射線Ｘ１は、照射線量演算部６６に供給される。照射線量演算部６６は、操作パネル４０から供給される撮影条件に従ってパラメータ記憶部７４から必要なパラメータを読み出すとともに、被写体厚さ測定器４９によって測定された被写体厚さデータを取得し、これらのデータを用いてマンモ４４に照射される放射線Ｘ２の照射線量を演算する。
【００４２】
すなわち、ターゲット５４から放出される放射線の線量は、放射角度に依存し、第１検出部６０ａ、６０ｂに向かう放射線Ｘ１の線量と、フィルタ５８を透過して第２検出部４７に向かう放射線Ｘ２の線量との比は一定となる（ヒール効果）。そこで、第１検出部６０ａ、６０ｂの配置によって決まっている比を第１検出部６０ａ、６０ｂの配置に係るヒール効果係数ｋとして設定しておき、このヒール効果係数ｋをパラメータ記憶部７４から読み出す。
【００４３】
第１検出部６０ａ、６０ｂによって検出された放射線Ｘ１の線量をＩobs1とし、第２検出部４７に向かうフィルタ５８の直前の放射線Ｘ２の線量をＩ0とすると、線量Ｉ0は、
Ｉ0＝ｋ・Ｉobs1                                                   （１）
として求まる。
【００４４】
次に、フィルタ５８の線吸収係数μf及びフィルタ５８の厚さｘfをパラメータ記憶部７４から読み出し、フィルタ５８を透過した直後の放射線Ｘ２の線量Ｉfを、
Ｉf＝Ｉ0・ｅｘｐ（−μf・ｘf）                                    （２）
として求める。
【００４５】
また、空気の線吸収係数μaをパラメータ記憶部７４から読み出すとともに、ターゲット５４と押圧板３８との間の空気層の厚さｘaを用いて、押圧板３８の直前の放射線Ｘ２の線量Ｉaを、
Ｉa＝Ｉf・ｅｘｐ（−μa・ｘa）                                    （３）
として求める。なお、空気層の厚さｘaは、被写体厚さ測定器４９によって測定されたマンモ４４の厚さデータと、撮影台３６に対するターゲット５４の位置とから求めることができる。
【００４６】
さらに、押圧板３８の線吸収係数μc及び押圧板３８の厚さｘcをパラメータ記憶部７４から読み出し、押圧板３８を透過した直後の放射線Ｘ２の線量である照射線量Ｉcを、
Ｉc＝Ｉa・ｅｘｐ（−μc・ｘc）                                    （４）
として求める。
【００４７】
（１）〜（４）式を用いて求めたマンモ４４に照射される放射線Ｘ２の照射線量Ｉcは、吸収線量演算部７２に供給される。なお、撮影条件として変更される可能性のある変数が、例えば、フィルタ５８の線吸収係数μf及び厚さｘfと、押圧板３８の位置によって規定される空気層の厚さｘaとであるとすると、これらを変数とするテーブルを作成しておき、このテーブルを用いて照射線量Ｉcを求めるようにしてもよい。
【００４８】
次に、吸収線量演算部７２は、照射線量演算部６６で求めた照射線量Ｉcと、第２検出部４７によって検出された放射線Ｘ２の線量とを用いて、マンモ４４による放射線Ｘ２の吸収線量を演算する。
【００４９】
吸収線量演算部７２は、パラメータ記憶部７４からブッキ４５の線吸収係数μb及びブッキ４５の厚さｘbをパラメータ記憶部７４から読み出し、マンモ４４が存在しないとした場合において、ブッキ４５を透過した直後の放射線Ｘ２の線量Ｉbを、
Ｉb＝Ｉc・ｅｘｐ（−μb・ｘb）                                    （５）
として求める。
【００５０】
また、パラメータ記憶部７４から画像検出器４６の線吸収係数μs及び画像検出器４６の厚さｘsをパラメータ記憶部７４から読み出し、マンモ４４が存在しないとした場合において、画像検出器４６を透過した直後の放射線Ｘ２の線量Ｉsを、
Ｉs＝Ｉb・ｅｘｐ（−μs・ｘs）                                    （６）
として求める。
【００５１】
最後に、吸収線量演算部７２は、マンモ４４によって吸収された放射線Ｘ２の吸収線量Ｉabsを、第２検出部４７によって検出した放射線Ｘ２の線量Ｉobs2と、（６）式で算出した線量Ｉsとを用いて、
Ｉabs＝Ｉs−Ｉobs2                                                 （７）
として求める。
【００５２】
以上のようにして求められた吸収線量は、表示部３９に表示される。
【００５３】
以上説明したように、本実施形態では、マンモ４４に放射線Ｘ２を照射して放射線画像の撮影を行うと同時に、第１検出部６０ａ、６０ｂ及び第２検出部４７により放射線Ｘ１、Ｘ２の線量を検出し、これらの放射線Ｘ１、Ｘ２の線量を用いてマンモ４４で吸収された放射線の吸収線量を計測することができる。この場合、被写体３２に過度の負担をかけることなく、一度の放射線の照射で迅速に吸収線量を求めて表示することができる。また、押圧板３８の位置に応じて変動する空気層の厚さを考慮して吸収線量を計測するため、マンモグラフィ装置１０におけるマンモ４４による吸収線量を高精度に求めることができる。
【００５４】
なお、図５に示すように、第１検出部６０ａ、６０ｂを、放射線Ｘ１が入射する面を除いて放射線遮蔽部材７６ａ、７６ｂで囲繞することにより、ターゲット５４からの散乱放射線や二次放射線の影響を排除し、所望の放射線Ｘ１を高精度に検出することができる。また、放射線遮蔽部材７６ａ、７６ｂを接地し、あるいは、正電荷に帯電させておくことにより、ターゲット５４で発生した二次電子を放射線遮蔽部材７６ａ、７６ｂにより吸収してノイズを除去することができる。
【００５５】
さらに、第１検出部６０ａ、６０ｂの入射面に金属板等の放射線減衰部材７８ａ、７８ｂを配設することにより、ターゲット５４に近接して配置されている第１検出部６０ａ、６０ｂの放射線Ｘ１による劣化を防止することができる。
【００５６】
なお、上述した実施形態では、露出制御を行うための第２検出部４７により検出した放射線Ｘ２の線量を用いて吸収線量を求めるようにしているが、例えば、放射線画像を形成するための画像検出器４６によって検出した電流値から被写体３２を透過した放射線Ｘ２の線量を算出して吸収線量を求めるようにすることもできる。
【００５７】
本発明は、上述した実施形態に限定されるものではなく、本発明の主旨を逸脱しない範囲で自由に変更できることは勿論である。
【図面の簡単な説明】
【００５８】
【図１】本実施形態のマンモグラフィ装置の構成図である。
【図２】本実施形態のマンモグラフィ装置における放射線源収納部の内部構成図である。
【図３】本実施形態のマンモグラフィ装置における撮影台の内部構成図である。
【図４】本実施形態のマンモグラフィ装置を構成する制御回路のブロック図である。
【図５】図２に示す放射線源収納部の他の構成の説明図である。
【符号の説明】
【００５９】
１２…マンモグラフィ装置              ２６…基台
３２…被写体                          ３４…放射線源収納部
３６…撮影台                          ３９…表示部
４０…操作パネル                      ４６…画像検出器
４７…第２検出部                      ４９…被写体厚さ測定器
５４…ターゲット                      ５８…フィルタ
６０ａ、６０ｂ…第１検出部            ６２…Ｘ線管
６４…管電圧発生部                    ６６…照射線量演算部
７０…露出制御部                      ７２…吸収線量演算部
７４…パラメータ記憶部                ７６ａ、７６ｂ…放射線遮蔽部材
７８ａ、７８ｂ…放射線減衰部材
【図１】
2007259932.tif 000003
【図２】
2007259932.tif 000004
【図３】
2007259932.tif 000005
【図４】
2007259932.tif 000006
【図５】
2007259932.tif 000007